(57)【特許請求の範囲】
【請求項１】
目盛り（７１ａ、７５ａ）が設けられた目盛盤（７０、７０Ａ）を備え、
前記目盛盤（７０、７０Ａ）の表面側でかつ前記目盛り（７１ａ、７５ａ）の上に、目盛り（４１ａ）が設けられた導光板（４０）を重ねて配置し、
前記目盛盤（７０、７０Ａ）の前記目盛り（７１ａ、７５ａ）は、前記目盛盤（７０、７０Ａ）を裏面側から透過する光により透過照明され、前記導光板（４０）の前記目盛り（４１ａ）は、前記導光板（４０）に導かれた光により導光照明され、
前記透過照明された前記目盛盤（７０、７０Ａ）の前記目盛り（７１ａ、７５ａ）と前記導光照明された前記導光板（４０）の前記目盛り（４１ａ）とが組み合わさって視認されるようになっていることを特徴とする計器。
【請求項２】
目盛り（７１ａ、７５ａ）が設けられた目盛盤（７０、７０Ａ）を備え、
前記目盛盤（７０、７０Ａ）の表面側でかつ前記目盛り（７１ａ、７５ａ）の上に、目盛り（４１ａ）が設けられた導光板（４０）を重ねて配置し、
前記目盛盤（７０、７０Ａ）の前記目盛り（７１ａ、７５ａ）は、前記目盛盤（７０、７０Ａ）の表面側から入射する光の反射により反射照明され、
前記導光板（４０）の前記目盛り（４１ａ）は、前記導光板（４０）に導かれた光により導光照明され、
前記反射照明された前記目盛盤（７０、７０Ａ）の前記目盛り（７１ａ、７５ａ）と前記導光照明された前記導光板（４０）の前記目盛り（４１ａ）とが組み合わさって視認されるようになっていることを特徴とする計器。
【請求項３】
前記導光板（４０）の前記目盛り（４１ａ）は、前記導光板（４０）の裏面に設けられた凹部により構成されていることを特徴とする請求項１または２に記載の計器。
【請求項４】
前記目盛盤（７０、７０Ａ）の前記目盛り（７１ａ、７５ａ）を照明する第１の光源（９０）を備えるとともに、この第１の光源（９０）とは別に、前記導光板（４０）の前記目盛り（４１ａ）を照明する第２の光源（９１）を備えることを特徴とする請求項１ないし３のいずれか１つに記載の計器。
【発明の詳細な説明】
【０００１】
【発明の属する技術分野】
本発明は計器に関する。
【０００２】
【従来の技術】
従来、実開昭６０−１２５５１８号公報にて示される計器では、目盛盤に設けられた目盛や文字等からなる表示パターンを、目盛盤の裏面側から透過する光により発光させる、いわゆる透過照明を採用している。
【０００３】
また、特開平９−３１８３９９号公報にて示される計器では、目盛盤を透明な導光部材で形成し、この導光部材の裏面に形成された凹部により目盛や文字等からなる表示パターンを構成している。そして、導光部材に導かれた光を凹部で反射させることにより表示パターンを照明する、いわゆる導光照明を採用している。
【０００４】
【発明が解決しようとする課題】
しかし、これらの公報に記載の計器のうち前者の計器では、透過照明のみからなる照明であるため、画一的な照明となってしまい、計器の表示に斬新さや面白さがない。また、後者の計器においても、導光照明のみからなる照明であるため、画一的な照明となってしまい、計器の表示に斬新さや面白さがない。
【０００５】
本発明は、上記点に鑑み、斬新で面白みのある表示の計器を提供することを目的とする。
【０００６】
【課題を解決するための手段】
上記目的を達成するため、請求項１に記載の発明では、目盛り（７１ａ、７５ａ）が設けられた目盛盤（７０、７０Ａ）を備え、目盛盤（７０、７０Ａ）の表面側でかつ目盛り（７１ａ、７５ａ）の上に、目盛り（４１ａ）が設けられた導光板（４０）を重ねて配置し、目盛盤（７０、７０Ａ）の目盛り（７１ａ、７５ａ）は、目盛盤（７０、７０Ａ）を裏面側から透過する光により透過照明され、導光板（４０）の目盛り（４１ａ）は、導光板（４０）に導かれた光により導光照明され、透過照明された目盛盤（７０、７０Ａ）の目盛り（７１ａ、７５ａ）と導光照明された導光板（４０）の目盛り（４１ａ）とが組み合わさって視認されるようになっていることを特徴とする。
【０００７】
これにより、計器の表示が、透過照明と導光照明とが組み合わされたものとなるので、今までにない斬新で面白みのある表示の計器を提供することができる。
【０００８】
また、請求項２に記載の発明では、目盛り（７１ａ、７５ａ）が設けられた目盛盤（７０、７０Ａ）を備え、目盛盤（７０、７０Ａ）の表面側でかつ目盛り（７１ａ、７５ａ）の上に、目盛り（４１ａ）が設けられた導光板（４０）を重ねて配置し、目盛盤（７０、７０Ａ）の目盛り（７１ａ、７５ａ）は、目盛盤（７０、７０Ａ）の表面側から入射する光の反射により反射照明され、導光板（４０）の目盛り（４１ａ）は、導光板（４０）に導かれた光により導光照明され、反射照明された目盛盤（７０、７０Ａ）の目盛り（７１ａ、７５ａ）と導光照明された導光板（４０）の目盛り（４１ａ）とが組み合わさって視認されるようになっていることを特徴とする。
【０００９】
これにより、計器の表示が、反射照明と導光照明とが組み合わされた表示となるので、今までにない斬新で面白みのある表示の計器を提供することができる。
【００１０】
また、請求項３に記載の発明では、導光板（４０）の目盛り（４１ａ）は、導光板（４０）の裏面に設けられた凹部により構成されていることを特徴としている。
【００１１】
これによれば、導光板（４０）に導かれる光のうち凹部にて反射する光は、導光板（４０）の表面側へより多く反射することとなり、これにより、導光板（４０）の目盛り（４１ａ）が視認者に視認されることとなる。よって、このような導光照明による導光板（４０）の目盛り（４１ａ）はクリスタル感のある表示となり、計器の表示をより一層斬新で面白みのあるものにすることができる。
【００１２】
また、請求項４に記載の発明では、目盛盤（７０、７０Ａ）の目盛り（７１ａ、７５ａ）を照明する第１の光源（９０）を備えるとともに、この第１の光源（９０）とは別に、導光板（４０）の目盛り（４１ａ）を照明する第２の光源（９１）を備えることを特徴としている。
【００１３】
これにより、例えば、第１の光源（９０）の発光タイミングと第２の光源（９１）の発光タイミングとに時差を設けて発光させるようにすることができ、計器の表示をより一層斬新で面白みのあるものにすることができる。
【００１４】
また、例えば、第１の光源（９０）の色と、第２の光源（９１）の色とを異なる色にすることができ、計器の表示をより一層斬新で面白みのあるものにすることができる。
【００１５】
なお、上記各手段の括弧内の符号は、後述する実施形態に記載の具体的手段との対応関係を示す一例である。
【００１６】
【発明の実施の形態】
以下、本発明の一実施形態を図面に基づいて説明する。図１〜図３は、本発明に係る乗用車用計器の一例を示しており、この計器は、当該乗用車の車室内に設けたインストルメントパネルにコンビネーションメータとして配設されている。
【００１７】
当該計器は、スピードメータＳ、タコメータＴ及びインジケータＩを備えており、これらスピードメータＳ、タコメータＴ及びインジケータＩは、断面コ字状のケーシング１０、環状の見返し板２０及び透明のフロントパネル３０からなるハウジング内に、導光板４０、拡散板５０及び配線板６０と共に組み付けられている。
【００１８】
なお、スピードメータＳは、当該乗用車の車速を指示するためのものであり、タコメータＴは当該乗用車のエンジンの回転数を指示するためのものであり、インジケータＩは、当該乗用車の自動変速機の変速位置を指示するためのものである。また、図１ではフロントパネル３０を省略している。
【００１９】
見返し板２０は、その環状底部２１にて、ケーシング１０の開口部１１に装着されている。そして、環状底部２１の内周面２１ａは、後述する各目盛盤７０、７０Ａにそれぞれ対向する環状の形状に形成されている。また、フロントパネル３０は見返し板２０の先端開口部に嵌着されている。
【００２０】
そして、見返し板２０の環状底部２１の裏面側には、導光板４０、目盛盤７０、７０Ａ、および拡散板５０が順に積層して配置されており、これらの積層された部品４０、７０、７０Ａ、５０は、環状底部２１とケーシング１０との間に挟まれて保持されている。ここで、導光板４０および拡散板５０は、無色透明の導光樹脂材料で形成されている。また、配線板６０は、拡散板５０の裏面側にて後述のように併設されている。
【００２１】
次に、スピードメータＳの構成について図２を参照して説明する。スピードメータＳは、図２にて示すごとく、目盛盤７０と、回動内機８０と、複数の第１および第２の光源９０、９１と、指針１００とを備えている。
【００２２】
目盛盤７０は、その外周部７０ａにて導光板４０と拡散板５０との間に挟持されている。また、目盛盤７０のうち、見返し板２０の環状底部２１の内側にて車両乗員に視認される視認部７０ｂは、当該乗用車の車速を目盛ってなる略円弧状目盛り部７１（図１参照）を有しており、この目盛り部７１は、複数の主目盛り（第１の造形）７１ａおよび複数の数（第１の造形）７１ｂとにより構成されている。
【００２３】
なお、本実施形態の複数の主目盛り７１ａは、０、１０、２０…１８０ｋｍ／ｈに対応する目盛りであり、複数の数７１ｂは０、２０、４０…１８０である。また、本実施形態では、目盛盤７０は、透明樹脂基板７２の表面に、この表面のうち視認部７０ｂの目盛り部７１の各主目盛り７１ａおよび各数７１ｂに対応する各表面部を除き、不透光な暗色の印刷材料でもって暗色層７３を印刷して形成されている。従って、目盛り部７１の各目盛り７１ａおよび各数７１ｂの各輪郭の内側を通して、上記透明樹脂基板７２の表面が露呈している。
【００２４】
また、導光板４０には、目盛盤７０の表面側に重なるリング部４１が形成されており、このリング部４１は、視認部７０ｂのうち目盛部７１の部分のみを覆う略円弧形状である。そして、リング部４１には従目盛り（第２の造形）４１ａが設けられており、この従目盛り４１ａは、リング部４１の裏面に設けられた凹部により構成されている。なお、本実施形態の複数の従目盛り４１ａは、１５、２５、３５…１７５ｋｍ／ｈに対応する目盛りである。
【００２５】
回動内機８０は、内機本体８１と、指針軸８２とを備えており、内機本体８１は、目盛盤７０に対応するように、ケーシング１０内にてその底壁１２に装着されている。指針軸８２は、内機本体８１から配線板６０の貫通穴部６１、拡散板５０の貫通穴部５１および目盛盤７０の貫通穴部７４を通り回動可能に延出している。なお、目盛盤７０において、貫通穴部７４は、目盛り部７１の半径方向中央に位置している。
【００２６】
複数の第１および第２の光源９０、９１は、配線板６０の表面に指針軸８２に対して同心円状に配設されており、本実施形態では光源９０、９１として発光ダイオードを適用している。
【００２７】
そして、図１のＢ−Ｂ断面図である図３（ａ）の矢印Ｘに示すように、第１の光源９０は、その発光により、拡散板５０に向けその裏面側から入射する。これに伴い、拡散板５０は、その表面側に向けて導光するとともに拡散させて、目盛盤７０の視認部７０ｂにその裏面側から均一に出射する。この出射により、各主目盛り７１ａおよび各数７１ｂは、目盛盤７０を裏面側から透過する光により透過照明されることとなる。
【００２８】
ここで、導光板４０のうちリング部４１の外周には、目盛盤７０および拡散板５０の表面側から裏面側に延びる導光部４２が形成されている。そして、導光部４２の先端は第２の光源９１の直上に位置するようになっている。よって、第２の光源９１は、その発光により、導光部４２にその先端から入射する。これに伴い、導光部４２は、その入射光をリング部４１まで導光し、リング部４１の表面側から出射する。
【００２９】
この出射にあたり、導光板４０に導光される光のうち凹部４１ａで反射してリング部４１から出射する光は、凹部４１ａ以外の部分で反射してリング部４１から出射する光に比べて非常に多くの光量となる。従って、図３（ａ）の矢印Ｙに示すように、凹部４１ａにより構成された従目盛りは、導光板４０に導かれた光により導光照明されることとなる。
【００３０】
また、リング部４１の内周縁に設けられた反射面４１ｂは、型しぼ処理により光拡散処理が施されており、視認部７０ａにおいてすりガラスを透過したような光が半円弧形状に視認される。
【００３１】
なお、本実施形態では、第１の光源９０から出射される光の色（例えば白色）と、第２の光源９１から出射される光の色（例えば白色）とを同じ色にしている。
【００３２】
指針１００は、その回動基部１０１にて、指針軸８２の先端部に同軸的に支持されて、視認部７０ｂの表面に沿い回動するようになっている。
【００３３】
タコメータＴは、スピードメータＳの導光板４０、目盛盤７０、回動内機８０、複数の第１および第２の光源９０、９１および指針１００にそれぞれ対応する目盛盤７０Ａ、回動内機（図示せず）、複数の第１および第２の光源（図示せず）および指針１１０Ａ等を備えている。
【００３４】
目盛盤７０Ａは、目盛盤７０と実質的に同様に外周部７０ａおよび視認部７０ｂを有するように構成されている。但し、目盛盤７０Ａの視認部７０ｂが、目盛盤７０の視認部７０ｂの目盛り部７１とは異なり、当該乗用車のエンジン回転数を目盛ってなる略円弧状目盛り部７５を有する。
【００３５】
ここで、目盛り部７５の各主目盛り７５ａおよび数７５ｂの内側を通して上記透明樹脂基板７２の表面が露呈している。なお、本実施形態の複数の主目盛り７５ａは、０、１、２…８×１０００ｒ／ｍｉｎに対応する目盛りであり、複数の数７５ｂは０、１、２…８である。
【００３６】
以上のように構成した本実施形態によれば、目盛盤７０、７０Ａをフロントパネル３０を通して見たとき、主目盛り７１ａ、７５ａおよび各数７１ｂ、７５ｂは透過照明でもって視認され、従目盛り４１ａは導光照明でもって視認される。従って、図３（ｂ）に示すように、目盛盤７０、７０Ａの視認部７０ｂのうち略円弧状目盛り部７１には、透過照明された主目盛り７１ａ、７５ａと導光照明された従目盛り４１ａとが組み合わさって視認される。これにより、計器の表示を、今までにない斬新で面白みのあるものにすることができる。
【００３７】
また、導光板４０には型しぼ処理された反射面４１ｂが備えられており、これにより、略円弧状目盛り部７１の内縁部をすりガラス状に装飾的に照明されるので、計器の表示をより一層斬新で面白みのあるものにできる。
【００３８】
また、本実施形態の従目盛り（第２の造形）４１ａは、リング部４１の裏面に設けられた凹部により構成されているので、クリスタル感のある視認性を与えることができ、計器の表示をより一層斬新で面白みのあるものにできる。また、本発明の第２の造形４１ａを構成するにあたり、凹部を形成する他に、リング部４１に印刷やホットスタンプを施すことにより導光照明される第２の造形４１ａを構成するようにしてもよい。
【００３９】
ところで、本実施形態では上述のように、目盛盤７０、７０Ａに形成された主目盛り７１ａ、７５ａと、導光板４０に形成された従目盛り４１ａとが組み合わさって、車速およびエンジン回転数の目盛りを構成するので、目盛盤７０、７０Ａと導光板４０との位置決めが重要となってくる。そこで、本実施形態では、図３の符号５２に示すように、拡散板５０の表面に位置決め用ピン５２を形成し、目盛盤７０、７０Ａの外周部７０ａと導光板４０の導光部４２とのそれぞれに、ピン５２が挿通される貫通穴７０ｃ、４２ａを形成している。
【００４０】
これにより、同一のピン５２を用いて目盛盤７０、７０Ａおよび導光板４０を拡散板５０に位置決めできるので、導光板４０の目盛盤７０、７０Ａに対する位置ずれを確実に防止できる。なお、拡散板５０は、見返し板２０の環状底部２１の所定位置に位置決めされるようになっている。
【００４１】
また、本発明の実施にあたり、貫通穴７０ｃ、４２ａを長穴形状に形成して、導光板４０、目盛盤７０、７０Ａ、拡散板５０を見返し板２０に組み付けた後に、各目盛り７１ａ、４１ａ等の位置を確認しながら位置を調整できるようにしてもよい。
【００４２】
（他の実施形態）
上記実施形態では、透過照明と導光照明とを組み合わせているが、反射照明（間接照明）と導光照明とを組み合わせるようにしてもよい。すなわち、第１の光源９０を目盛盤７０、７０Ａの表面側に配置し、その発光により、目盛盤７０、７０Ａの視認部７０ｂの表面側で反射させることにより、各主目盛り７１ａ、７５ａおよび各数７１ｂ、７５ｂを含めた視認部７０ｂ全体を間接照明する。
【００４３】
また、本発明の実施にあたり、各第１および第２の光源９０、９１は、白色光を出射する発光ダイオードに限ることなく、有彩色光を出射する発光ダイオードその他の光源であってもよい。また、各第２の光源９１は、各第１の光源９０とは異なる色の光（例えば青色）を出射する光源であってもよい。また、第１の光源９０の発光タイミングと第２の光源９１の発光タイミングとに時差を設けて発光させるようにしてもよい。また、第１の光源９０と第２の光源９１とを共用させて、同一の光源で導光照明および透過照明を行うようにしてもよい。
【００４４】
また、本発明の実施にあたり、フロントパネル３０にスモーク材を用いて、いわゆるブラックフェイスメータとして、外光に頼らずに常に照明させるようにしてもよい。
【００４５】
また、本発明の第１の造形は、図１に示す主目盛り７１ａ、７５ａや数７５ｂ、７１ｂに限定されるものではなく、同様に、第２の造形は、図１に示す従目盛り４１ａに限定されるものではないことは勿論であり、例えば、０、１０、２０…１８０ｋｍ／ｈに対応する目盛りを第２の造形として導光照明し、１５、２５、３５…１７５ｋｍ／ｈに対応する目盛りを第１の造形として透過照明するようにしてもよい。
【００４６】
また、本発明の実施にあたり、乗用車に限ることなく、自動車その他の車両や船舶、航空機等で利用される各種の計器に本発明を適用して実施してもよい。
【図面の簡単な説明】
【図１】本発明の一実施形態を示す計器の正面図である。
【図２】図１のＡ−Ａ断面図である。
【図３】（ａ）は図１のＢ−Ｂ断面図であり、（ｂ）はＣ矢視図である。
【符号の説明】
４０…導光板、４１ａ…従目盛り（第２の造形）、
７１ａ、７５ａ…主目盛り（第１の造形）、
７１ｂ、７５ｂ…数（第１の造形）、７０、７０Ａ…目盛盤、
９０…第１の光源、９１…第２の光源。
【図１】
0003840955.tif 000002
【図２】
0003840955.tif 000003
【図３】
0003840955.tif 000004